(57)【特許請求の範囲】
【請求項１】
器具ケース内に収容され燃焼量が調整可能な燃焼器と、該器具ケース内に空気流を生ぜしめる送風ファンと、前記燃焼器の燃焼運転の終了後に前記器具ケース内のポストパージを所定時間行うべく前記送風ファンを作動せしめるファン制御手段とを備えた燃焼器具において、
前記燃焼器の燃焼運転中に、該燃焼器の現在の燃焼量に応じた前記ポストパージの目標時間を、該燃焼量が大きい程、長くするよう設定する目標時間設定手段と、前記燃焼器の燃焼運転中に、前記ポストパージを実際に行うべき前記所定時間を、前記目標時間設定手段により設定される現在の目標時間に向かって徐々に収束させるように時々刻々設定するポストパージ時間設定手段とを具備し、前記ファン制御手段は、前記燃焼器の燃焼運転の終了時において前記ポストパージ時間設定手段により設定された前記所定時間、前記送風ファンを作動させて前記器具ケース内のポストパージを行わしめることを特徴とする燃焼器具。
【請求項２】
前記燃焼器の燃焼運転中に、前記目標時間設定手段により前記燃焼器の燃焼量の増加に応じて前記目標時間が増加された際に、前記ポストパージ時間設定手段がその増加された目標時間に向かって前記所定時間を徐々に増加せしめる時間的変化度合いは、前記目標時間設定手段により前記燃焼器の燃焼量の減少に応じて前記目標時間が減少された際に、前記ポストパージ時間設定手段がその減少された目標時間に向かって前記所定時間を徐々に減少せしめる時間的変化度合いよりも大きいことを特徴とする請求項１記載の燃焼器具。
【発明の詳細な説明】
【０００１】
【発明の属する技術分野】
本発明は、温風暖房機、給湯器等の燃焼器具に関する。
【０００２】
【従来の技術】
温風暖房機や給湯器等、器具ケース内にガスバーナ等の燃焼器を備えた燃焼器具にあっては、温風の送風や、燃焼器への燃焼用空気の供給等のために、器具ケース内に空気流を生ぜしめる送風ファンを具備したものが一般に知られており、この種のものでは、燃焼器の燃焼運転の終了（燃焼器の消火）に際して、器具ケース内のポストパージを行うために、送風ファンを燃焼運転の終了後、所定時間作動させるようにしている。このポストパージは、器具ケース内の余熱を放逐し（器具ケース内を冷却する）、また、燃焼器の燃焼中に器具ケース内に生じた燃焼排ガス等を排出するために行うものである。
【０００３】
ところで、このようにポストパージを行う燃焼器具では、そのポストパージを行う前記所定時間は通常、一定時間（例えば３分）に定められている。あるいは、温風暖房機や給湯器等、室温や出湯温の温調制御を行うために燃焼器の燃焼運転中に、その燃焼量を可変的に調整するものでは、燃焼器の消火直前の燃焼量に応じてポストパージを行うべき前記所定時間を設定し（消火直前の燃焼量が大きい程、前記所定時間を長く設定する）、その設定した所定時間、送風ファンを作動させてポストパージを行うようにしたものも本願出願人により提案されている（例えば特開平５−２９６５７１号公報参照）。
【０００４】
しかしながら、燃焼運転中に燃焼器の燃焼量を可変的に調整する燃焼器具にあっては、上記のようにポストパージを行う所定時間を一定時間としたり、燃焼運転の終了直前の燃焼量に応じた時間とするものでは、次のような不都合を生じる。
【０００５】
すなわち、ポストパージを行う所定時間を一定時間とするものでは、その時間が短いと、燃焼運転の終了前に大燃焼量で燃焼器の燃焼運転が行われていた場合には、器具ケース内の余熱の放逐を十分に行うことができず、器具ケース内の部品の過熱が生じやすい。そして、燃焼器の大燃焼量での運転に合わせて、ポストパージを行う所定時間を長めの一定時間に設定しておくと、器具ケース内の余熱の放逐は十分に行うことができるものの、燃焼運転の終了時には、常に、比較的長い時間にわたって送風ファンが継続的に作動することとなるため、使用者に不安感を及ぼしたり、燃焼運転の終了毎に常に、送風ファンの作動音が長い時間にわたって継続して耳障りなものとなりやすい。また、特に温風暖房機にあっては、ポストパージを行う所定時間が長いと、そのポストパージ時の送風ファンの送風によって、使用者に冷風感を及ぼしやすい。
【０００６】
また、燃焼器の消火直前の燃焼量に応じた所定時間、ポストパージを行うものでは、燃焼器の消火直前の燃焼量がある程度、継続していたものであれば、その燃焼量が大きい程、ポストパージの時間が長くなるので、その燃焼量に適した器具ケース内の余熱の放逐を行うことができ、また、その燃焼量が小さい程、ポストパージの時間が短くなるので、使用者に及ぼす不快感を軽減することができる。しかるに、例えば燃焼器の燃焼量が大燃焼量から小燃焼量に減少した直後に燃焼運転が使用者により終了され、あるいは、器具自身の自動運転によって燃焼運転が自動的に終了した場合には、その終了直前の小燃焼量に対応した短い時間しかポストパージが行われないため、器具ケース内の余熱が十分に放逐されない虞れがある。また、逆に、燃焼器の燃焼量が小燃焼量から大燃焼量に減少した直後に燃焼運転が終了された場合には、ポストパージの時間が燃焼運転の終了直前の大燃焼量に対応した長い時間となるため、器具ケース内の余熱は十分に放逐することができるものの、必要以上に長い送風ファンの作動によって、使用者に不快感を及ぼしやすい。
【０００７】
【発明が解決しようとする課題】
本発明はかかる不都合を解消し、燃焼器の燃焼運転の終了後の送風ファンの作動によるポストパージの時間を、器具ケース内の余熱を放逐する上で、燃焼運転中の燃焼器の燃焼量の変化を考慮した必要且つ十分なものとして余熱の放逐を的確に行うことができ、必要以上にポストパージの時間が長くなって使用者に不快感を及ぼすような事態を回避することができる燃焼器具を提供することを目的とする。
【０００８】
【課題を解決するための手段】
本発明の燃焼器具はかかる目的を達成するために、器具ケース内に収容され燃焼量が調整可能な燃焼器と、該器具ケース内に空気流を生ぜしめる送風ファンと、前記燃焼器の燃焼運転の終了後に前記器具ケース内のポストパージを所定時間行うべく前記送風ファンを作動せしめるファン制御手段とを備えた燃焼器具において、前記燃焼器の燃焼運転中に、該燃焼器の現在の燃焼量に応じた前記ポストパージの目標時間を、該燃焼量が大きい程、長くするよう設定する目標時間設定手段と、前記燃焼器の燃焼運転中に、前記ポストパージを実際に行うべき前記所定時間を、前記目標時間設定手段により設定される現在の目標時間に向かって徐々に収束させるように時々刻々設定するポストパージ時間設定手段とを具備し、前記ファン制御手段は、前記燃焼器の燃焼運転の終了時において前記ポストパージ時間設定手段により設定された前記所定時間、前記送風ファンを作動させて前記器具ケース内のポストパージを行わしめることを特徴とする。
【０００９】
かかる本発明によれば、前記燃焼器の燃焼運転中に、前記目標時間設定手段は、前記ポストパージの目標時間を、前記燃焼器の時々刻々の燃焼量に応じた時間（燃焼量が大きい程、長い時間）に時々刻々設定するのであるが、ポストパージを行うべき実際の所定時間を設定する前記ポストパージ時間設定手段は、該目標時間設定手段によって、時々刻々設定される目標時間に該所定時間を徐々に収束させるように該所定時間を時々刻々設定する。すなわち、ポストパージ時間設定手段は前記ポストパージの所定時間を直ちに現在の目標時間と同じ時間に設定するのではなく、該所定時間を、燃焼器の燃焼量に応じて時々刻々設定される前記目標温度に応答遅れをもって収束させるようにして設定する。このため、燃焼器の燃焼量の増減によって、前記目標時間が増減すると、ポストパージ時間設定手段が設定する前記所定時間は、その増減された目標時間に徐々に近づくようにして緩やかに増減し、また、その後、該燃焼量が一定となって、それに対応した目標時間が一定に維持されれば、最終的には前記所定時間は該目標時間に一致するようになる。そして、前記ファン制御手段は、燃焼器の燃焼運転の終了時において上記のようにポストパージ時間設定手段によって設定された所定時間、前記送風ファンを作動させて器具ケース内のポストパージを行わしめるので、例えば燃焼器の燃焼量が大燃焼量から小燃焼量に減少し、あるいは小燃焼量から大燃焼量に増加した直後に、燃焼器の燃焼運転を終了した場合には、実際に行われるポストパージの時間は、上記大燃焼量に対応した長い前記目標時間と小燃焼量に対応した短い目標時間との間の中間的な時間で、しかも、その燃焼量の変化時から燃焼運転の終了時までの経過時間が短い程、該燃焼量の変化前の燃焼量に対応した目標時間に近い時間となる。また、燃焼器の燃焼運転の終了前に燃焼器の燃焼量が一定の燃焼量に維持されていた場合には、実際に行われるポストパージの時間は、その一定の燃焼量に対応した前記目標時間あるいはそれにほぼ近い時間となる。
【００１０】
従って、本発明によれば、燃焼器の燃焼運転の終了後の送風ファンの作動によるポストパージの時間を、器具ケース内の余熱を放逐する上で、燃焼運転中の燃焼器の燃焼量の変化を考慮した必要且つ十分なものとして余熱の放逐を的確に行うことができる。そして、必要以上にポストパージの時間が長くなることがないので、必要以上に長い時間、送風ファンの作動音等が継続することがなく、使用者に不快感を及ぼすような事態を回避することができる。
【００１１】
かかる本発明において、一般に、燃焼器の燃焼量が増加した場合には、器具ケース内の熱量は比較的迅速に増加する一方、燃焼器の燃焼量が減少した場合には、器具ケース内の熱量は減少しにくい。従って、燃焼器の燃焼量の増加直後に燃焼運転を終了した場合には、ポストパージを行う時間は、器具ケース内の余熱を放逐する上ではなるべく増加後の燃焼量に対応した目標時間に近い時間とすることが好ましく、逆に、燃焼器の燃焼量の減少直後に燃焼運転を終了した場合には、ポストパージを行う時間は、なるべく減少前の燃焼量に対応した目標時間に近い時間とすることが好ましい。
【００１２】
そこで、本発明では、さらに、前記燃焼器の燃焼運転中に、前記目標時間設定手段により前記燃焼器の燃焼量の増加に応じて前記目標時間が増加された際に、前記ポストパージ時間設定手段がその増加された目標時間に向かって前記所定時間を徐々に増加せしめる時間的変化度合いは、前記目標時間設定手段により前記燃焼器の燃焼量の減少に応じて前記目標時間が減少された際に、前記ポストパージ時間設定手段がその減少された目標時間に向かって前記所定時間を徐々に減少せしめる時間的変化度合いよりも大きくし、逆に言えば、後者の時間的変化度合いを前者の時間的変化度合いよりも小さくする。
【００１３】
このようにすることで、燃焼器の燃焼量の増加に応じて前記目標時間が増加された際には、前記ポストパージ時間設定手段が設定する前記所定時間は、比較的短時間で増加後の燃焼量に対応する目標時間に近づくため、燃焼器の燃焼量の増加直後（設定される前記所定時間が増加される途中）に燃焼運転を終了した場合には、実際に行われるポストパージの時間を、増加後の燃焼量に対応した目標時間に近い時間とすることができる。逆に、燃焼器の燃焼量の減少に応じて前記目標時間が減少された際には、前記ポストパージ時間設定手段が設定する前記所定時間は、比較的ゆっくりと減少後の燃焼量に対応する目標時間に近づくため、燃焼器の燃焼量の減少直後（設定される前記所定時間が減少される途中）に燃焼運転を終了した場合には、実際に行われるポストパージの時間を、減少前の燃焼量に対応した目標時間に近い時間とすることができる。
【００１４】
従って、いずれの場合にも必要限で器具ケース内の十分な余熱の放逐を行うことができる。
【００１５】
【発明の実施の形態】
本発明の第１の態様の一実施形態を図１乃至図４を参照して説明する。
【００１６】
図１を参照して、本実施形態の燃焼器具は例えばガスファンヒータであり、室内に配置される器具ケース１内に、ダクト２、送風ファン３、ガスバーナ４（燃焼器）、ダクト５、ガス供給管６及び制御ユニット７を具備する。
【００１７】
ダクト２は、温風の送風路を構成するものであり、室内空気ｓを取り込むための吸気口８を器具ケース１の背面に開口し、器具ケース１の前面下部において温風の吹出口９を開口している。吸気口８には塵や埃等がダクト２内に流入するのを防ぐためにエアフィルタ１０が着脱自在に取付けられている。吹出口９には、その開口度合いを調節する可動式ルーバ１１が取付けられ、この可動式ルーバ１１を駆動するためのギャドモータ１２が設けられている。また、ダクト２の内部の吸気口８付近の箇所には、この吸気口８に臨んでサーミスタにより構成された室温センサ１３が取付けられ、この室温センサ１３は、室温に応じた信号を制御ユニット７に出力する。
【００１８】
送風ファン３は、通電電流に比例して回転数が変化するファンモータ１４と、ダクト２内に吹出口９に臨んで配置されファンモータ１４により回転駆動される回転羽根１５とを有し、回転羽根１５の回転により吸気口８からダクト２内に室内空気ｓを吸引する。そして、ガスバーナ４の燃焼運転中は、吸引した室内空気ｓをダクト２内に組み込まれたガスバーナ４の燃焼排気ｈと混合し、それを温風ｍとして吹出口９から室内に吹き出す。この送風ファン３には、その回転数を検出するホール素子等により構成された回転数センサ１６が設けられ、該回転数センサ１６は、ファンモータ１４の回転数に応じた信号を制御ユニット７に出力する。
【００１９】
ダクト２内に組み込まれたガスバーナ４は、燃焼胴１７内に燃焼プレート１８を配し、燃焼用空気と燃料ガスとの混合気に点火するための点火電極１９を燃焼プレート１８の下流側に配している。このガスバーナ４の燃焼胴１７はダクト２内に配置され、その燃焼排気ｈが燃焼胴１７からダクト２内に排出される。また、燃焼プレート１８の下流側には燃焼炎の有無を検知するための熱電対２０が配置され、この熱電対２０は、ガスバーナ４の燃焼炎に晒された状態で起電力を発生し、それを制御ユニット７に出力する。
【００２０】
ダクト５は、室内空気ｓ（燃焼用空気）と燃料ガスとをガスバーナ４に供給するための通路であり、ガスバーナ４の燃焼胴１７内と連通し且つダクト２と画成して器具ケース１内に組み込まれ、器具ケース１の背面で開口した室内空気ｓの吸気口２１を有している。そして、ダクト５のガスバーナ４側の箇所には、ガス供給管６の先端に取付けられたノズル２２が設けられている。このダクト５には、送風ファン３の回転作動及びノズル２２のエジェクタ効果により吸気口２１から室内空気ｓが吸引され、その吸引された室内空気ｓがガス供給管６のノズル２２から噴出される燃料ガスと混合され、その混合気がガスバーナ４に供給される。尚、吸気口２１は、ダクト２の吸気口８と共にエアフィルタ１０により覆われている。
【００２１】
ガス供給管６には、その上流側より、電磁弁２４，２５及び電磁比例弁２６が順に配設されている。
【００２２】
電磁弁２４，２５は、通電により開弁するものであり、その開弁状態では燃料ガスをノズル２２方向へ通過させ、通電を停止した閉弁状態では燃料ガスの通過を遮断する。
【００２３】
電磁比例弁２６は、通電電流の大きさに伴って開度が増大する弁であり、通電電流とガスバーナ４への供給ガス量とが比例する。
【００２４】
器具ケース１の外面部には運転スイッチ２７、室温設定スイッチ２８及びフィルタランプ２９が配設されている。
【００２５】
運転スイッチ２７は、そのＯＮ／ＯＦＦ操作により暖房運転の開始や終了を制御ユニット７に指示する。
【００２６】
室温設定スイッチ２８は、室温を設定するための操作スイッチであり、その所定の操作により、設定室温を例えば１°Ｃづつ上昇あるいは下降させて制御ユニット７に指示する。
【００２７】
フィルタランプ２９は、エアフィルタ１０の目詰まりが進行している場合等、送風ファン３の回転作動時の風量が正常な場合に比してある程度少なくなる場合に、制御ユニット７の通電制御により点灯し、その点灯によりエアフィルタ１０の清掃等の必要性を使用者に報知する。
【００２８】
図２を参照して、制御ユニット７は、マイクロコンピュータ等を用いて構成されたものであり、その主要な機能的構成を大別すると、燃焼制御部３０及びファン制御部３１（ファン制御手段）を具備する。
【００２９】
燃焼制御部３０は、運転スイッチ２７及び室温設定スイッチ２８の指示信号、並びに室温センサ１３及び熱電対２０の検出信号等に基づき、ガス供給管６の電磁弁２４，２５及び電磁比例弁２６や点火電極１９を通電制御することで、ガスバーナ４の点火、消火、燃焼量の調整（燃料ガスの供給量の調整）等、ガスバーナ４の燃焼制御を行う。この場合、本実施形態では、燃焼制御部３０は、ガスバーナ４の点火動作時を含む燃焼運転中に、ガスバーナ４の燃焼量（燃料ガスの供給量）を１〜７速（７速は最大燃焼量、１速は最小燃焼量に相当）の７種類に制御可能としている。
【００３０】
ファン制御部３１は、運転スイッチ２７及び室温設定スイッチ２８の指示信号、並びに室温センサ１３、回転数センサ１６及び熱電対２０の検出信号等に基づき、ファンモータ１４を通電制御して、送風ファン３の回転数（風量）を制御するもので、プリパージ制御部３２、燃焼中風量制御部３３及びポストパージ制御部３４を含む。
【００３１】
プリパージ制御部３２は、運転スイッチ２７のＯＮ操作に応じた暖房運転の開始時に、ガスバーナ４の燃焼運転の開始前に、一定時間（例えば５秒間）、送風ファン３を所定回転数（例えば７速の最大回転数）で作動させるようにファンモータ１４を通電制御して、器具ケース１のダクト２，５内のプリパージを行わしめるようにしている。
【００３２】
燃焼中風量制御部３３はガスバーナ４の点火動作時を含む燃焼運転中に、ガスバーナ４の燃焼量（燃料ガスの供給量）に対応した量の燃焼用空気をガスバーナ４に供給するように送風ファン３を制御するもので、ガスバーナ４の燃焼量に対応して送風ファン３の風量（回転数）を１〜７速（７速は最大燃焼量に対応する送風ファン３の最大回転数に相当、１速は最小燃焼量に対応する送風ファン３の最小回転数に相当）の７種類に制御する。
【００３３】
ポストパージ制御部３４は、ガスバーナ４の燃焼運転の終了時（消火時）に、その消火後、所定時間、送風ファン３を所定回転数（例えば３速の回転数）で作動させるようにファンモータ１４を通電制御して、器具ケース１のダクト２，５内のポストパージを行わしめるもので、ガスバーナ４の着火後の燃焼運転中にガスバーナ４の燃焼量（速数）に応じてポストパージの目標時間を時々刻々設定する目標時間設定部３５（目標時間設定手段）と、その設定された目標時間に応じて実際にポストパージを行わしめるべき所定時間（以下、ポストパージ時間という）を時々刻々設定するポストパージ時間設定部３６（ポストパージ時間設定手段）とを具備する。これらの目標時間設定部３５やポストパージ時間設定部３６による目標時間やポストパージ時間の設定の詳細は後述するが、ポストパージ制御部３４は、ガスバーナ４の燃焼運転の終了時（消火時）にポストパージ時間設定部３６により設定されているポストパージ時間、送風ファン３を作動させてポストパージを行わしめるようにしている。
【００３４】
次に、本実施形態のガスファンヒータの作動を説明する。
【００３５】
使用者が暖房運転を行うべく運転スイッチ２７をＯＮ操作すると、まず、それに応じて制御ユニット７のファン制御部３１は、プリパージ制御部３２により送風ファン３を一定時間、所定の回転数（７速の最大回転数）で作動させるようにファンモータ１４を通電制御し、これによりダクト２，５内のプリパージを行わしめる。
【００３６】
このプリパージ後、制御ユニット７の燃焼制御部３０は、電磁弁２４，２５に通電してこれらを開弁せしめると共に、７速相当の燃料ガスをガスバーナ４に供給せしめるよう電磁比例弁２６を通電制御し（通電量を最大にする）、さらに点火電極１９に所定時間、火花放電を生ぜしめるよう該点火電極１９を制御する。同時に、ファン制御部３１は、燃焼中風量制御部３３により、前記プリパージから引き続き送風ファン３を７速の回転数（最大回転数）で作動させるようにファンモータ１４を通電制御する。
【００３７】
これにより、７速相当の最大燃焼量でガスバーナ４の燃焼運転を開始するよう、該ガスバーナ４の点火動作が開始される。
【００３８】
そして、この点火動作によって、ガスバーナ４が着火し、それが熱電対２０の出力レベルに基づき確認されると（この時、吹出口９から室内への温風の送風が開始される）、燃焼制御部３０及び燃焼中風量制御部３３は、ガスバーナ４の燃焼状態を安定化するために、一定時間（例えば１分間）、継続してガスバーナ４を最大燃焼量で強制的に燃焼させるように、電磁比例弁２６及び送風ファン３のファンモータ１４を通電制御する（ガスバーナ４の燃焼量及び送風ファン３の風量を７速に制御する。図４（ａ）の“強制燃焼運転”の区間を参照）。
【００３９】
次いで、このようにしてガスバーナ４を最大燃焼量（７速）で燃焼させる強制燃焼運転を行った後、燃焼制御部３０及び燃焼中風量制御部３３は、室温を室温設定スイッチ２８で設定された設定室温に略一致させる温調制御を行うために、設定室温と室温センサ１３の検出室温との偏差に基づき、ガスバーナ４の燃焼量（燃料ガスの供給量）及び送風ファン３の風量（回転数）をそれぞれ７速〜１速の範囲で段階的に調整するよう電磁比例弁２６及びファンモータ１４を制御する。この場合、設定室温と室温センサ１３の検出室温との偏差が大きい程、ガスバーナ４の燃焼量及び送風ファン３の風量を大きくするように（設定室温と検出室温との偏差が小さい程、ガスバーナ４の燃焼量及び送風ファン３の風量を小さくするように）、電磁比例弁２６及びファンモータ１４を制御する。
【００４０】
このようなガスバーナ４の燃焼量及び送風ファン３の風量の調整制御によって、それらの燃焼量及び風量は、例えば図４（ａ）に示すように７〜１速の範囲で変化する。
【００４１】
一方、上記のようなガスバーナ４の燃焼運転中（前記強制燃焼運転中を含む）に、前記ポストパージ制御部３４の目標時間設定部３５は、次のようにして、燃焼運転の終了に際してのポストパージの目標時間を時々刻々設定する。
【００４２】
すなわち、目標時間設定部３５は、例えば次の表１に示すように、ガスバーナ４の各燃焼量に対応するポストパージの目標時間をあらかじめ定めたデータテーブルを保持しており、ガスバーナ４の燃焼運転中に、このデータテーブルに従って、ガスバーナ４の現在の燃焼量に対応した目標時間を時々刻々設定し、それを前記ポストパージ時間設定部３６に与える。この場合、表１のデータテーブルでは、目標時間は燃焼量が大きい程、長くなるように定められ、また、各速数に対応する目標時間は、その速数の燃焼量でガスバーナ４の燃焼運転が継続している状態で燃焼運転が終了したときに、その目標時間のポストパージによって器具ケース１内の余熱を必要且つ十分に放逐することができるように定められている。
【００４３】
【表１】
0003604508.tif 000002
【００４４】
このような目標時間の設定によって、具体的には、図４（ａ）に示すようにガスバーナ４の燃焼量が変化した場合には、図４（ｂ）に破線で示すようにポストパージの目標時間が時々刻々設定されることとなる。
【００４５】
また、このような目標時間の設定と並行して、ポストパージ制御部３４のポストパージ時間設定部３６は、設定された目標時間に応じて、次のようにガスバーナ４の消火に際して実際に行うべきポストパージの時間（前記ポストパージ時間）を時々刻々設定する。
【００４６】
すなわち、ポストパージ時間設定部３６は、ガスバーナ４の燃焼開始時から所定のサイクルタイム毎（例えば１秒毎）に図３のフローチャートに示す処理を行う。
【００４７】
この処理では、ポストパージ時間設定部３６は、自身が前回の処理で設定したポストパージ時間ｔｎ−１  とポストパージ時間設定部３６により現在設定されている前記目標時間Ｔｎ  との大小関係を比較し（ＳＴＥＰ１）、ｔｎ−１  ＜Ｔｎ  である場合には、前回の処理で設定したポストパージ時間ｔｎ−１  にあらかじめ定めた所定時間ΔｔＵ  （例えば１秒）を加算してなる時間ｔｎ−１  ＋ΔｔＵ  を今回のポストパージ時間ｔｎ  として新たに設定する（ＳＴＥＰ２）。また、ＳＴＥＰ１でｔｎ−１  ＝Ｔｎ  である場合には、前回の処理で設定したポストパージ時間ｔｎ−１  をそのまま今回のポストパージ時間ｔｎ  として設定する（ＳＴＥＰ３）。さらに、ＳＴＥＰ１でｔｎ−１  ＞Ｔｎ  である場合には、前回の処理で設定したポストパージ時間ｔｎ−１  からあらかじめ定めた所定時間ΔｔＤ  （例えば０．５秒）を減算してなる時間ｔｎ−１  −ΔｔＤ  を今回のポストパージ時間ｔｎ  として新たに設定する（ＳＴＥＰ４）。尚、この場合、ガスバーナ４の燃焼開始時におけるポストパージ時間の初期値ｔ０  （図４（ｂ）を参照）は、例えば４０秒とされている。
【００４８】
このようなポストパージ時間ｔｎ  の設定によって、現在のポストパージ時間ｔｎ−１  が現在の目標時間Ｔｎ  よりも短い場合には、ポストパージ時間ｔｎ  が前記所定時間ΔｔＵ  で定まる時間的変化度合い（時間的増加度合い）で目標時間Ｔｎ  に徐々に近づくように増加され（１秒当たりに１秒増加）、現在のポストパージ時間ｔｎ−１  が現在の目標時間Ｔｎ  よりも長い場合には、ポストパージ時間ｔｎ  が前記所定時間ΔｔＤ  （＜ΔｔＵ  ）で定まる時間的変化度合い（時間的減少度合い）で目標時間Ｔｎ  に徐々に近づくように減少され（１秒当たりに０．５秒減少）、これにより、該ポストパージ時間ｔｎ  は目標時間設定部３５により時々刻々設定される目標時間Ｔｎ  に上記所定時間ΔｔＵ  ，ΔｔＤ  で定まる応答遅れをもって、徐々に収束するように、設定されることとなる。
【００４９】
具体的には、図４（ａ）に示すような燃焼量の変化に応じて図４（ｂ）に破線で示すように目標時間Ｔが設定された場合には、図４（ｂ）に実線で示すようにポストパージ時間ｔが時々刻々設定されることとなる。そして、この場合、ポストパージ時間ｔの増加時の時間的変化度合いを規定する前記所定時間ΔｔＵ  は、ポストパージ時間ｔの減少時の時間的変化度合いを規定する前記所定時間ΔｔＤ  よりも大きいので、燃焼量が増加されて目標時間Ｔが増加された際には、ポストパージ時間ｔは比較的迅速に目標時間Ｔに向かって増加するように設定され、逆に、燃焼量が減少されて目標時間Ｔが減少された際には、ポストパージ時間ｔは比較的緩やかに目標時間Ｔに向かって減少するように設定されることとなる。
【００５０】
このようにして、ポストパージ時間ｔの設定が行われつつガスバーナ４の燃焼運転が行われている際に、例えば使用者が運転スイッチ２７をＯＦＦ操作すると、燃焼制御部３０は、電磁弁２４，２５を閉弁せしめて、ガスバーナ４へのガス供給を遮断し、該ガスバーナ４を消火せしめる（燃焼運転を終了せしめる）。
【００５１】
また、本実施形態では、ガスバーナ４の燃焼運転中（前記強制燃焼運転中を除く）に、室温センサ１３の検出室温が設定室温に対応した所定の運転中断温度以上に上昇すると、室温を設定室温に略一致するように制御する温調制御のために、燃焼制御部３０は、電磁弁２４，２５を閉弁せしめて、ガスバーナ４へのガス供給を遮断し、該ガスバーナ４を消火せしめる。尚、この場合においては、室温センサ１３の検出室温が設定室温に対応した所定の運転再開温度以下に下降すると、再び、前記強制燃焼運転を含めてガスバーナ４の燃焼運転が再開される。
【００５２】
さらに、制御ユニット７は、熱電対２０の出力等に基づき、ガスバーナ４の失火等の異常発生を監視するようにしており、その異常発生時には、燃焼制御部３０は、電磁弁２４，２５を閉弁せしめて、ガスバーナ４へのガス供給を遮断する。
【００５３】
そして、上記のようにガスバーナ４の燃焼運転が終了すると、ファン制御部３１のポストパージ制御部３４は、その燃焼運転の終了時点（電磁弁２４，２５の閉弁時点）において前記ポストパージ時間設定部３６により設定されているポストパージ時間ｔの間だけ、燃焼運転の終了後、送風ファン３を所定回転数（３速の回転数）で作動させるようにファンモータ１４を制御し、器具ケース１のダクト２，５内のポストパージを行わしめる。そして、このポストパージ後、ポストパージ制御部３４は、送風ファン３の作動を停止せしめる。
【００５４】
具体的には、図４（ｂ）を参照して、例えば燃焼量が７速から３速に減少された直後の時刻Ｊ１  において運転スイッチ２７のＯＦＦ操作等により燃焼運転が終了した場合には、その時刻Ｊ１  において設定されているポストパージ時間ｔは１２０秒で、その時間だけ送風ファン３の所定回転数での作動によるポストパージが行われる。また、例えば燃焼量が１速から３速に増加された直後の時刻Ｊ２  において燃焼運転が終了した場合には、その時刻Ｊ２  において設定されているポストパージ時間ｔは６０秒で、その時間だけポストパージが行われる。尚、ガスバーナ４の燃焼開始直後に燃焼運転が終了した場合には、ポストパージ時間ｔの前記初期値（４０秒）の時間、ポストパージが行われる。
【００５５】
このようなポストパージを行うことで、器具ケース１のダクト２，５内の余熱を必要な程度で、且つ十分に放逐することができる。
【００５６】
すなわち、例えばガスバーナ４の燃焼量が７速から３速に減少された直後の時刻Ｊ１  において燃焼運転が終了した場合には、その燃焼運転の終了直前に７速の大燃焼量でガスバーナ４が燃焼していたため、器具ケース１内に蓄積している熱量は３速の燃焼量で継続的に燃焼していた場合の熱量よりも大きく、また、７速の燃焼量で継続的に燃焼していた場合の熱量よりも小さい。従って、時刻Ｊ１  における燃焼運転の終了の際に、仮にその終了時点の燃焼量（３速）に対応する前記目標時間（７０秒）だけポストパージを行うようにすると、余熱の放逐が不十分なものとなり、また、減少前の燃焼量（７速）に対応する目標時間（２００秒）、ポストパージを行うようにすると、その時間が必要以上に長いものとなる。しかるに、本実施形態のガスファンヒータでは、時刻Ｊ１  において燃焼運転が終了した場合に実際に行うポストパージの時間（１２０秒）は、前述のようなポストパージ時間ｔの設定によって、７速の燃焼量に対応する目標時間（２００秒）よりも短く、且つ３速の燃焼量に対応する目標時間（７０秒）よりも長くなるため、余熱の放逐を必要な程度で十分に行うことができる。
【００５７】
同様に、例えばガスバーナ４の燃焼量が１速から３速に増加された直後の時刻Ｊ２  において燃焼運転が終了した場合には（終了時点の燃焼量は３速）、その燃焼運転の終了直前に１速の小燃焼量でガスバーナ４が燃焼していたため、器具ケース１内に蓄積している熱量は３速の燃焼量で継続的に燃焼していた場合の熱量よりも小さく、また、１速の燃焼量で継続的に燃焼していた場合の熱量よりも大きい。従って、時刻Ｊ２  における燃焼運転の終了の際に、仮にその終了時点の燃焼量（３速）に対応する前記目標時間（７０秒）だけポストパージを行うようにすると、その時間が必要以上に長いものとなり、また、増加前の燃焼量（１速）に対応する目標時間（３０秒）、ポストパージを行うようにすると、余熱の放逐が不十分なものとなる。しかるに、本実施形態では、時刻Ｊ２  において燃焼運転が終了した場合に実際に行うポストパージの時間（６０秒）は、３速の燃焼量に対応する目標時間（７０秒）よりも短く、且つ１速の燃焼量に対応する目標時間（３０秒）よりも長くなるため、余熱の放逐を必要な程度で十分に行うことができる。
【００５８】
また、本実施形態では、前述の如く、ガスバーナ４の燃焼量の増加（目標時間の増加）に応じたポストパージ時間ｔの時間的上昇度合いを大きめにし、また、ガスバーナ４の燃焼量の減少（目標時間の減少）に応じたポストパージ時間ｔの時間的下降度合いを小さめにしているので次のような利点がある。
【００５９】
すなわち、燃焼量が増加された場合には、器具ケース１内に蓄積する熱量は、比較的迅速に増加するので、その燃焼量の増加直後に燃焼運転が終了した場合には、器具ケース１内の余熱を十分に放逐する上で、ポストパージを行う時間をなるべく、増加後の燃焼量に対応した目標時間に近づけることが好ましい。そして、本実施形態では、ガスバーナ４の燃焼量の増加に応じたポストパージ時間ｔの時間的上昇度合いは比較的大きいため、該ポストパージ時間ｔは燃焼量の増加時点から比較的迅速に増加して、燃焼運転の終了時点の増加された燃焼量に対応する目標時間に近づき、従って、器具ケース１内の余熱を十分に放逐することができる。
【００６０】
また、燃焼量が減少された場合には、器具ケース１内に蓄積する熱量は、比較的緩やかに減少するので、その燃焼量の減少直後に燃焼運転が終了した場合には、器具ケース１内の余熱を十分に放逐する上で、ポストパージを行う時間をなるべく、減少前の燃焼量に対応した目標時間に近いことが好ましい。そして、本実施形態では、ガスバーナ４の燃焼量の減少に応じたポストパージ時間ｔの時間的下降度合いは比較的小さいため、該ポストパージ時間ｔは燃焼量の減少時点から比較的緩やかに減少して、燃焼運転の終了時点の直前の減少前の燃焼量に対応する目標時間に近いものとなり、従って、器具ケース１内の余熱を十分に放逐することができる。
【００６１】
このように、本実施形態のガスファンヒータでは、ガスバーナ４の燃焼運転の終了に際してのポストパージを、器具ケース１内の余熱を放逐する上で、必要な程度で、しかも十分に行うことができる。そして、送風ファン３のみの作動によるポストパージが必要な程度の時間しか行われないため、燃焼運転の終了後の送風ファン３の作動が必要以上に長い時間、継続することがなく、これによって、燃焼運転の終了後に必要以上に長い間、送風ファン３が作動して、その作動音により使用者に不快感を及ぼしたり、送風ファン３のみの作動による冷風感を使用者に及ぶすような事態を回避することができる。
【００６２】
尚、以上説明した実施形態では、燃焼量の変化（目標時間の変化）に応じたポストパージ時間ｔの変化（増加又は減少）を直線的な変化度合いで行うようにしたが、二次関数や指数関数等を用いて曲線的に目標時間に向かって増加又は減少させるようにしてもよい。
【００６３】
また、本実施形態では、ポストパージの目標時間をデータテーブルを用いて設定するようにしたが、演算式等を用いて燃焼量に応じた目標時間を設定するようにしてもよい。
【００６４】
また、本実施形態では、室温の温調制御のために、検出室温に応じて自動的にガスバーナ４の燃焼運転を停止したり、再開したりするものを示したが、燃焼量や風量の制御のみで、温調制御を行うようにしてもよい。そして、本実施形態では、室温の温調制御のためのガスバーナ４の燃焼運転の一時的な停止に際しても、運転スイッチ２７のＯＦＦ操作等の場合と同様にポストパージを行うようにしたが、温調制御のためのガスバーナ４の消火中は、送風ファン３を使用者に冷風感を及ぼさないような微小回転数で継続的に作動させて、室内空気を対流させておくようにし、運転スイッチ２７のＯＦＦ操作や異常発生時の燃焼運転の終了に際してのみ、ポストパージを行うようにしてもよい。
【００６５】
また、本実施形態では、ガスファンヒータを例にとって説明したが、ＦＦ式のガス温風暖房機や、石油式の温風暖房機についても本発明を適用できることはもちろんであり、さらに、ガス給湯器等の燃焼器具においても本発明を適用することができる。
【００６６】
さらに、本実施形態では自動的に燃焼量を調整するものを示したが、燃焼中に手動で燃焼量を調整する燃焼器具についても本発明を適用することができる。
【図面の簡単な説明】
【図１】本発明の燃焼器具の一実施形態（ガスファンヒータ）のシステム構成図。
【図２】図１の燃焼器具の要部のブロック図。
【図３】図１の燃焼器具の作動を説明するためのフローチャート。
【図４】図１の燃焼器具の作動を説明するための線図。
【符号の説明】
１…器具ケース、３…送風ファン、４…ガスバーナ（燃焼器）、３１…ファン制御部、３５…目標時間設定部、３６…ポストパージ時間設定部。
【図１】
0003604508.tif 000003
【図２】
0003604508.tif 000004
【図３】
0003604508.tif 000005
【図４】
0003604508.tif 000006